(57)【要約】【課題】ユーザーの使用目的や利用シーンに適した機器設定をすることができる設定情報決定方法を提供する。【解決手段】設定情報決定方法は、ユーザーの体に装着される電子機器１０１の設定情報を決定する方法であって、ユーザーのユーザー情報を取得し、ユーザーの活動情報５１４又は活動計画を取得し、ユーザー情報及び、活動情報５１４又は活動計画の少なくともいずれかに基づき、電子機器１０１の設定情報を決定し、設定情報を出力する。【選択図】図６
2019125163.tif 000002
【特許請求の範囲】
【請求項１】
ユーザーの体に装着される電子機器の設定情報を決定する方法であって、
前記ユーザーのユーザー情報を取得し、
前記ユーザーの活動情報又は活動計画を取得し、
前記ユーザー情報及び、前記活動情報又は前記活動計画の少なくともいずれかに基づき、前記電子機器の前記設定情報を決定し、前記設定情報を出力することを特徴とする設定情報決定方法。
【請求項２】
請求項１に記載の設定情報決定方法において、
前記ユーザー情報は、前記ユーザーの性別、年齢、体重、体脂肪率を含むことを特徴とする設定情報決定方法。
【請求項３】
請求項１又は２に記載の設定情報決定方法において、
前記活動情報は、前記電子機器で測定された前記ユーザーの活動に関する情報であることを特徴とする設定情報決定方法。
【請求項４】
請求項１〜３のいずれか一項に記載の設定情報決定方法において、
前記活動情報は、時刻情報と関連付けられた歩数、脈拍数、移動速度、及び移動距離の少なくともいずれかを含むことを特徴とする設定情報決定方法。
【請求項５】
請求項１〜４のいずれか一項に記載の設定情報決定方法において、
前記活動計画は、前記ユーザーが予め計画した前記ユーザーが実施する活動内容に関する計画であることを特徴とする設定情報決定方法。
【請求項６】
請求項１〜５のいずれか一項に記載の設定情報決定方法において、
前記活動計画は、前記ユーザーが実施する活動内容に関する日時、運動種別、運動時間を含むことを特徴とする設定情報決定方法。
【発明の詳細な説明】
【技術分野】
【０００１】
本発明は、設定情報決定方法に関する。
【背景技術】
【０００２】
ランニングウォッチはかつての携帯電話がそうであったように多機能化が進んでおり、市場で販売高の多くを占めるのは、ランニングだけでなくマルチスポーツ測定に対応した機種である。さらに、ランニングウォッチは、別のジャンルのものであったスマートウォッチの機能（例えば、通知機能、活動量計測機能、スマートフォンとの常時接続機能など）を取り込みつつあることより、ユーザーのニーズが多様化していることが分かる。機能の多様化が進むと、特定の目的を持って買ったはずのユーザーにとって、設定に必要な項目が多くなり、ユーザーにとって多様な設定項目の理解と設定操作とはストレスとなる。
【０００３】
多様な設定項目を簡易に変える従来例としてデジタルカメラの操作メニューの構成をアンケートの実施によって、利用者に適したものにする技術が知られている（例えば、特許文献１参照）。
【先行技術文献】
【特許文献】
【０００４】
【特許文献１】特開２００４−１２８９００号公報
【発明の概要】
【発明が解決しようとする課題】
【０００５】
しかしながら、特許文献１に記載のアンケートによるメニュー構成変更だけでは、ユーザーの使用目的に沿った状態に機器を設定するには不十分であった。
【課題を解決するための手段】
【０００６】
本発明は、上述の課題を解決するためになされたものであり、以下の形態又は適用例として実現することが可能である。
【０００７】
［適用例１］本適用例に係る設定情報決定方法は、ユーザーの体に装着される電子機器の設定情報を決定する方法であって、前記ユーザーのユーザー情報を取得し、前記ユーザーの活動情報又は活動計画を取得し、前記ユーザー情報及び、前記活動情報又は前記活動計画の少なくともいずれかに基づき、前記電子機器の前記設定情報を決定し、前記設定情報を出力すること、を特徴とする。
【０００８】
本適用例によれば、ユーザー情報や電子機器（例えば、ウェアラブル機器（ランニングウォッチ））の測定データに基づいて、電子機器の設定情報を決定するので、ユーザーの使用目的や利用シーンに適した機器設定をすることができる。
【０００９】
［適用例２］上記適用例に記載の設定情報決定方法における前記ユーザー情報は、前記ユーザーの性別、年齢、体重、体脂肪率を含むことが好ましい。
【００１０】
本適用例によれば、ユーザーの性別、年齢、体重、体脂肪率情報に基づいて、電子機器の設定情報を決定するので、ユーザーの使用目的や利用シーンに適した機器設定をすることができる。
【００１１】
［適用例３］上記適用例に記載の設定情報決定方法における前記活動情報は、前記電子機器で測定された前記ユーザーの活動に関する情報であることが好ましい。
【００１２】
本適用例によれば、ユーザーの活動に関する情報に基づいて、電子機器の設定情報を決定するので、ユーザーの使用目的や利用シーンに適した機器設定をすることができる。
【００１３】
［適用例４］上記適用例に記載の設定情報決定方法における前記活動情報は、時刻情報と関連付けられた歩数、脈拍数、移動速度、及び移動距離の少なくともいずれかを含むことが好ましい。
【００１４】
本適用例によれば、時刻情報と関連付けられた歩数、脈拍数、移動速度、及び移動距離の少なくともいずれかに基づいて、電子機器の設定情報を決定するので、ユーザーの使用目的や利用シーンに適した機器設定をすることができる。
【００１５】
［適用例５］上記適用例に記載の設定情報決定方法における前記活動計画は、前記ユーザーが予め計画した前記ユーザーが実施する活動内容に関する計画であることが好ましい。
【００１６】
本適用例によれば、予め計画したユーザーが実施する活動内容に関する計画に基づいて、電子機器の設定情報を決定するので、ユーザーの使用目的や利用シーンに適した機器設定をすることができる。
【００１７】
［適用例６］上記適用例に記載の設定情報決定方法における前記活動計画は、前記ユーザーが実施する活動内容に関する日時、運動種別、運動時間を含むことが好ましい。
【００１８】
本適用例によれば、ユーザーが実施する活動内容に関する日時、運動種別、運動時間に基づいて、電子機器の設定情報を決定するので、ユーザーの使用目的や利用シーンに適した機器設定をすることができる。
【図面の簡単な説明】
【００１９】
【図１】本実施形態に係るシステムを示す図。
【図２】ウェアラブル機器における表示画面の切替えを示す図。
【図３】ウェアラブル機器のハードウェア構成を示す図。
【図４】ウェアラブル機器における表示画面の切替えを示す図。
【図５】情報処理端末のハードウェア構成を示す図。
【図６】情報処理端末の機能構成例を示す図。
【図７】ユーザー情報入力画面の具体例を示す図。
【図８】ユーザー情報を使った設定情報の決定フローを示すフローチャート。
【図９】曜日情報を含むユーザー情報入力画面の具体例を示す図。
【図１０】ユーザー情報入力画面の具体例を示す図。
【図１１】ユーザーグループの決定処理を示すフローチャート。
【発明を実施するための形態】
【００２０】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００２１】
（実施形態１）
本実施形態に係る設定情報決定方法は、ユーザーの体に装着される電子機器としてのウェアラブル機器の設定情報を決定する方法であって、ユーザーのユーザー情報を取得し、ユーザーの活動情報又は活動計画を取得し、ユーザー情報及び、活動情報又は活動計画の少なくともいずれかに基づき、ウェアラブル機器の設定情報を決定し、設定情報を出力する。
【００２２】
図１は、本実施形態に係るシステム１００を示す図である。
本実施形態に係るシステム１００は、図１に示したように、ウェアラブル機器１０１と、ウェアラブル機器１０１と通信可能な情報処理端末１０２と、を備える。システム１００では、ウェアラブル機器１０１の１又は複数の表示画面を、情報処理端末１０２を用いて設定することが可能である。
【００２３】
ウェアラブル機器１０１は、ユーザーＵ（図２参照）の身に装着する機器である。例えば、ウェアラブル機器１０１は、ユーザーＵの手首に装着するリスト機器である。また、ウェアラブル機器１０１は、図１で示すように、腕時計と同様な外観を有する。ウェアラブル機器１０１は、第１バンド１０３と、第２バンド１０４と、ケース部１０５と、第１操作ボタン１１１と、第２操作ボタン１１２と、第３操作ボタン１１３と、第４操作ボタン１１４と、第５操作ボタン１１５と、表示部１２１と、を備える。以下、第１操作ボタン１１１〜第５操作ボタン１１５を総称して、「操作ボタン１１１〜１１５」と称することがある。
【００２４】
第１バンド１０３及び第２バンド１０４は、ウェアラブル機器１０１をユーザーＵの手首に装着するためのバンドである。ケース部１０５は、ウェアラブル機器１０１の筐体である。操作ボタン１１１〜１１５は、ウェアラブル機器１０１の側面に設けられる。そして、第１操作ボタン１１１は、おおよそ２時の方向に位置しており、第２操作ボタン１１２は、おおよそ３時の方向に位置しており、第３操作ボタン１１３は、おおよそ４時の方向に位置する。また、第４操作ボタン１１４は、おおよそ９時の方向に位置しており、第５操作ボタン１１５は、おおよそ８時の方向に位置する。表示部１２１は、ウェアラブル機器１０１の正面の中央に設けられる。
【００２５】
また、表示部１２１の表示面側を表面とした場合の裏面から表面へと向かう方向、つまり表示面の法線方向をＺ軸正方向とする。そして、Ｚ軸に直交する２軸をＸＹ軸とし、表示部１２１の中心から第２操作ボタン１１２への方向をＸ軸正方向とする。
【００２６】
また、ウェアラブル機器１０１は、情報処理端末１０２と通信可能に構成される。例えば、ウェアラブル機器１０１は、情報処理端末１０２と近距離無線通信により無線接続されてもよい。ここでの近距離無線通信とは、Bluetooth（登録商標）、ＮＦＣ（Near field radio communication）、ＡＮＴ＋等、種々の形式を適用可能である。あるいは、ウェアラブル機器１０１は、ＵＳＢ（Universal Serial Bus）ケーブルなどの接続ケーブル又はクレードル等を介して、情報処理端末１０２と有線接続されてもよい。
【００２７】
また、ウェアラブル機器１０１は、１以上のワークアウトに関する値を測定することが可能である。ここで、ワークアウトとは、運動全般のことである。ワークアウトは、例えば、ラン、ウォーク、バイク、及びスイムなどである。また、ランは、さらに細分化して取り扱う。例えば、走る環境に応じて、通常のランニング、トレイルラン、及びトレッドミルなどを異なるワークアウトとして扱ってもよい。あるいは、通常のランニング、トレイルラン、及びトレッドミルを１つのワークアウトとして扱ってもよい。また、ワークアウトは、テニス、サッカー、又はスキー等、各種スポーツを１つの種別として扱う態様と、同一の種別として扱う態様とがある。また、トライアスロンではラン、バイク、及びスイムの３競技が行われるため、ワークアウトは、ラン、バイク、及びスイムのそれぞれを３つのワークアウトとして扱う態様と、全体として１つのワークアウトとして扱う態様とがある。
【００２８】
情報処理端末１０２は、スマートフォン、タブレット端末等といった端末である。情報処理端末１０２は、アプリケーションソフトウェアを実行することにより、ウェアラブル機器１０１に表示する表示画面を設定できる。
【００２９】
図１に示すウェアラブル機器１０１の表示部１２１は、表示画面の一例として、活動量を表示する活動量表示画面１３１を表示する。ウェアラブル機器１０１は、ユーザーＵによる第１操作ボタン１１１の押下操作を検出すると、次の活動量表示画面を表示する。このように、ウェアラブル機器１０１は、操作ボタン１１１〜１１５のいずれかの押下操作によって、複数の表示画面を切り替えることが可能である。一方、図１に示す情報処理端末１０２の表示部１５０は、ユーザー情報入力画面１４１を表示する。
【００３０】
情報処理端末１０２は、ウェアラブル機器１０１から取得するユーザー情報及び活動計画としての既存設定情報５１１（図６参照）や活動情報５１４（図６参照）やユーザーＵによるユーザー情報の入力を受け付け、分析することで、ユーザーＵにとって最適な設定情報の作成を行う。そして、情報処理端末１０２は、作成した設定情報を、ウェアラブル機器１０１に反映させる。以上の処理によって、情報処理端末１０２は、ウェアラブル機器１０１の設定を変更することが可能である。情報処理端末１０２は、ウェアラブル機器１０１よりも自由度の高い操作を行うことができるため、ユーザーＵは、ウェアラブル機器１０１の表示画面の設定を容易に行うことができる。
【００３１】
図２は、ウェアラブル機器１０１における表示画面の切替えを示す図である。
図２の左上に示すウェアラブル機器１０１は、時計画面２００を表示する。時計画面２００は、時刻を表示する。表示部１２１が時計画面２００を表示する状態において、ユーザーＵによって第１操作ボタン１１１が押下されると、ウェアラブル機器１０１は、図２の右上に示すように、活動量表示画面１３１を表示する。
【００３２】
活動量表示画面１３１を表示する状態において、ユーザーＵによって第１操作ボタン１１１が押下されると、ウェアラブル機器１０１は、図２の右下に示すように、活動量表示画面１３２を表示する。活動量表示画面１３２を表示する状態において、ユーザーＵによって第１操作ボタン１１１が押下されると、ウェアラブル機器１０１は、図２の左下に示すように、活動量表示画面１３３を表示する。活動量表示画面１３３を表示する状態において、ユーザーＵによって第１操作ボタン１１１が押下されると、ウェアラブル機器１０１は、時計画面２００を表示する状態に戻る。活動量表示画面１３１では、最大酸素摂取量（ＶＯ２ｍａｘ）と、リカバリータイムと、マラソン時の経過時間と、を表示する。活動量表示画面１３２では、単位時間当たりの心拍数（以下単に「心拍数」と称する）と過去６時間の心拍数の推移を示したグラフとを表示する。活動量表示画面１３３では、歩数と、心拍数と、消費カロリーと、を表示する。
【００３３】
図３は、ウェアラブル機器１０１のハードウェア構成を示す図である。
ウェアラブル機器１０１は、図３に示すように、ＣＰＵ（Central Processing Unit）３００と、電源回路３０１と、表示部１２１と、Ｆｌａｓｈ  ＲＯＭ３０２と、アンテナ３０３と、無線通信部３０４と、振動部３０５と、ライト３０６と、加速度センサー３０７と、記憶部３０８と、を備える。さらに、ウェアラブル機器１０１は、操作ボタン１１１〜１１５と、脈拍センサー３０９と、を備える。電源回路３０１、表示部１２１、Ｆｌａｓｈ  ＲＯＭ３０２〜記憶部３０８、操作ボタン１１１〜１１５、及び脈拍センサー３０９は、ＣＰＵ３００に接続される。また、電源回路３０１は、二次電池３１０を備える。
【００３４】
ＣＰＵ３００は、ウェアラブル機器１０１を制御する制御装置（制御部あるいは処理部）である。具体的には、ＣＰＵ３００は、内部にプログラムを記憶するメモリーを備えており、ＧＰＳ（Global Positioning System）による時刻情報の生成処理、ユーザーＵの走行状態の記憶処理、及び速度算出処理などを行う。表示部１２１は、センサーで測定した測定データに基づく画像を表示する。センサーは、ウェアラブル機器１０１内部にあるセンサー、すなわち加速度センサー３０７、及び脈拍センサー３０９等である。
【００３５】
電源回路３０１は、ＣＰＵ３００と電気的に接続されており、ＡＣアダプターと接続された場合、二次電池３１０を充電する。二次電池３１０は、表示部１２１やアンテナ３０３などに駆動電力を供給する。表示部１２１は、時計画面２００、ウェアラブル機器１０１の動作モードに応じた情報等に基づく画像を表示する。Ｆｌａｓｈ  ＲＯＭ３０２は、ＣＰＵ３００と電気的に接続されており、電源を切っても内容が消えない不揮発メモリーである。Ｆｌａｓｈ  ＲＯＭ３０２は、ウェアラブル機器１０１のファームウェアを記憶する。
【００３６】
アンテナ３０３は、ＣＰＵ３００と電気的に接続されており、例えば、衛星信号を使って、ＧＰＳ時刻情報、あるいは位置情報等の衛星情報を取得する。無線通信部３０４は、ＣＰＵ３００と電気的に接続されており、情報処理端末１０２と無線通信を行う。振動部３０５は、ＣＰＵ３００と電気的に接続されており、振動によりユーザーＵに警告などを報知するための装置である。ライト３０６は、ＣＰＵ３００と電気的に接続されており、例えば、測定中に表示部１２１を照射する。加速度センサー３０７は、ＣＰＵ３００と電気的に接続されており、３軸方向の加速度を検出することが可能なセンサーである。記憶部３０８は、ＣＰＵ３００と電気的に接続されており、ＣＰＵ３００が使用するワーキングメモリーである。
【００３７】
操作ボタン１１１〜１１５は、ＣＰＵ３００と電気的に接続されており、ユーザーＵの押下操作を検出する。ウェアラブル機器１０１は、ユーザーＵによって第１操作ボタン１１１が押下された場合、例えば、図２に示すように、活動量を表示する活動量表示画面１３１，１３２，１３３の内容や順序を変更する。
【００３８】
図４は、ウェアラブル機器１０１における表示画面の切替えを示す図である。
また、第３操作ボタン１１３が押下されると、図４に示すように、ワークアウト表示画面１４２，１４３，１４４がワークアウト種目ごとに順番に切り替わるようになっている。
【００３９】
図３に戻り、脈拍センサー３０９は、ＣＰＵ３００と電気的に接続されており、脈拍信号を出力する。例えば、脈拍センサー３０９は、発光部、受光部、増幅器、バンドパスフィルター、及びＡＤ変換器を備える。発光部から照射された光は、血管等の人体の組織で反射して受光部に入射される。受光部は、光電変換した信号、つまり脈拍信号を生成する。ＡＤ変換器は、受光部が出力する信号をＡＤ変換して脈信号データを生成し、生成した脈信号データをＣＰＵ３００に出力する。生体の血管を流れる血液に含まれるヘモグロビン等による発光部からの光の吸光量が、心臓の拍動と連動して変化するため、受光部に入射する光量は、心臓の拍動の伝搬、つまり脈拍に応じたものになる。ＣＰＵ３００は、脈拍センサー３０９から出力される脈拍信号、あるいは脈拍信号をデジタル変換した脈信号データに基づいてユーザーＵの脈拍数、脈拍間隔（Ｒ−Ｒ間隔）、脈拍変動（ＨＲＶ）などを算出する。
【００４０】
図５は、情報処理端末１０２のハードウェア構成を示す図である。
情報処理端末１０２は、ＣＰＵ４００と、電源回路４０１と、Ｆｌａｓｈ  ＲＯＭ４０２と、無線通信部４０３と、記憶部４０４と、タッチパネル４０５と、を備える。電源回路４０１〜タッチパネル４０５は、ＣＰＵ４００に接続される。また、電源回路４０１は、二次電池４１０を備える。
【００４１】
ＣＰＵ４００は、情報処理端末１０２を制御する制御装置である。例えば、ＣＰＵ４００は、本実施形態におけるプログラムを読み出して、読み出したプログラムを実行する。電源回路４０１は、ＣＰＵ４００と電気的に接続されており、ＡＣアダプターと接続された場合、二次電池４１０を充電する。二次電池４１０は、タッチパネル４０５などに駆動電力を供給する。Ｆｌａｓｈ  ＲＯＭ４０２は、ＣＰＵ４００と電気的に接続されており、情報処理端末１０２のファームウェアを記憶する。また、Ｆｌａｓｈ  ＲＯＭ４０２は、本実施形態におけるプログラムを記憶する。無線通信部４０３は、ＣＰＵ４００と電気的に接続されており、ウェアラブル機器１０１と無線通信を行う。記憶部４０４は、ＣＰＵ４００と電気的に接続されており、ＣＰＵ４００のワーキングメモリーである。例えば、記憶部４０４は、Ｆｌａｓｈ  ＲＯＭ４０２から読み出したプログラムを一時的に記憶する。タッチパネル４０５は、ディスプレイといった表示部の上部に、タッチセンサーといった操作部が設けられた装置である。
【００４２】
図６は、情報処理端末１０２の機能構成例を示す図である。
情報処理端末１０２は、制御部５００を有する。制御部５００は、取得部５０１と、ユーザー入力表示制御部５０２と、生成部５０３と、送信部５０４と、を備える。制御部５００は、図５に示す記憶部４０４に記憶されたプログラムをＣＰＵ４００が実行することにより実現される機能である。
【００４３】
記憶部４０４は、ワークアウト計測機能と活動量計測機能との動作プログラムを有する。ワークアウト計測機能は、運動全般中の動きを記録する機能である。また、活動量計計測機能は、運動以外の日常生活における活動情報５１４を記録するための機能である。
【００４４】
取得部５０１は、無線通信部４０３を介してウェアラブル機器１０１から既存設定情報５１１と活動情報５１４とを取得する。既存設定情報５１１の内容は、ウェアラブル機器１０１の活動量計測機能とワークアウト計測機能との表示順や駆動設定に関する情報を示す。駆動設定とは各種センサーの駆動や処理のデューティーを変更するための設定である。活動情報５１４は、ウェアラブル機器１０１の活動量計測機能で取得した各種の計測情報である。
【００４５】
本実施形態に係る設定情報決定方法では、活動情報５１４は、電子機器としてのウェアラブル機器１０１で測定されたユーザーＵの活動に関する情報である。これによれば、ユーザーＵの活動に関する情報に基づいて、ウェアラブル機器１０１の設定情報を決定するので、ユーザーＵの使用目的や利用シーンに適した機器設定をすることができる。
【００４６】
ユーザー入力表示制御部５０２は、タッチパネル４０５にユーザー情報入力画面１４１を表示する（図１参照）。タッチパネル４０５は、情報処理端末１０２の表示部として機能する。ユーザー情報入力画面１４１は、ウェアラブル機器１０１による計測結果である活動情報５１４から得られないユーザー情報を取得するために用いることができる。なお、ユーザー情報入力画面１４１は、複数のバリエーションをユーザー入力画面候補情報５１２として情報処理端末１０２に備えられている。
【００４７】
情報処理端末１０２は、予め複数のユーザー情報入力画面１４１を記憶部４０４等に記憶しておく。そして、ユーザー入力表示制御部５０２は、ユーザー情報入力画面１４１を記憶部４０４から読み出して、読み出した画像情報が示す画像をタッチパネル４０５に表示する。
【００４８】
図７は、ユーザー情報入力画面１４１の具体例を示す図である。
入力画面６０１は、機器利用頻度入力画面である。機器利用頻度とは、ユーザーＵがウェアラブル機器１０１を使う頻度であり、ユーザーＵの感覚で評価してもらう数値である。入力画面６０１において、ユーザーＵは、ウェアラブル機器１０１の利用頻度を、タッチパネル４０５を通じて、入力できる。説明のために、入力画面６０１は、既にユーザーＵによって入力された状態を示しており、制御部５００は、各項目において、ボックス６１１が色で塗りつぶされた数の割合を頻度情報として受け取ることができる。
【００４９】
同様に、入力画面６０２は、ワークアウト利用頻度入力画面である。ワークアウト利用頻度とは、ユーザーＵがウェアラブル機器１０１の各ワークアウトモードを使う頻度であり、ユーザーＵの感覚で評価してもらう数値である。入力画面６０２ではワークアウト利用頻度を受け取ることができる。また、入力画面６０３では各ワークアウトで重視するトレーニング方法を入力できる。
【００５０】
また、入力画面６０３は、重視項目入力画面である。重視項目とは、ユーザーＵがウェアラブル機器１０１の各ワークアウトモードを使う際に、ユーザーＵに持久トレーニングとスピードトレーニングとのどちらを重視しているかを評価してもらう数値である。入力画面６０３において、ボックス６３１は、一部分だけを色で塗りつぶすことができ、相対的な位置関係がトレーニングをする上で重視する割合となる。ここでは、塗りつぶされたボックス６３１がより左へ位置しているほど持久系トレーニングを重点的に行うことを意味し、反対に、右へ寄るほどスピード系トレーニングを重点的に行うことを意味する。
【００５１】
図６に戻り、生成部５０３は、タッチパネル４０５に表示したユーザー情報入力画面１４１に対するユーザーＵによる変更操作によって生成されるユーザー情報に基づいて、設定変更情報５１３を生成する。設定変更情報５１３は、例えば、２つの態様がある。第１の態様の設定変更情報５１３は、既存設定情報５１１と同様の情報を有する。第２の態様の設定変更情報５１３は、既存設定情報５１１のうち変更があった箇所だけの情報を有する。生成部５０３は、生成した設定変更情報５１３を、記憶部４０４又はＣＰＵ４００の記憶領域等に記憶する。
【００５２】
次に、ウェアラブル機器１０１が生成部５０３で行う設定情報作成処理の内容を図８〜図１１を用いて説明する。設定情報作成処理は、例えば、４つの態様がある。
【００５３】
まず、第１の態様について説明する。第１の態様では取得部５０１で得られる活動情報５１４に加えて、図７に示した入力画面６０１を通じてユーザー情報が得られる場合の設定情報作成処理である。下記決定フローでは活動量計測機能の設定の変更を行うことができる。例えば、活動量計測機能の設定には、センサーの駆動と演算とを任意の単位時間ごとに行う通常モードと、センサーの駆動と処理の間隔とを通常モードより長くした消費電力モードと、がある。
【００５４】
図８は、ユーザー情報を使った設定情報の決定フローを示すフローチャートである。
まず、ステップＳ７０１において、制御部５００は、取得したユーザー情報をもとにユーザーＵが普段からウェアラブル機器１０１を使っているかどうかを判断する。つまり、図７の入力画面６０１における、ユーザーＵによる、“普段使い”のボックス６１１への塗りつぶし入力が０以下であるかどうかを判断する。判断した結果がＹｅｓの場合は、ステップＳ７０２へ進み、Ｎｏの場合は、ステップＳ７０３へ進む。
【００５５】
次に、ステップＳ７０２において、制御部５００は、活動量計測モードをＯＦＦにするように設定を行い、処理を終了する。
【００５６】
次に、ステップＳ７０３において、制御部５００は、ユーザー情報をもとにユーザーＵの充電頻度情報が普段からウェアラブル機器１０１を使う頻度情報より少ないかを判断する。つまり、図７の入力画面６０１における、ユーザーＵによる、“充電”のボックス６１１への塗りつぶし入力数が“普段使い”のボックス６１１への塗りつぶし入力数以下であるかどうかを判断する。判断した結果がＹＥＳの場合は、ステップＳ７０５へ進み、Ｎｏの場合は、ステップＳ７０４へ進む。
【００５７】
次に、ステップＳ７０４において、制御部５００は、活動量計測モードが通常モードで駆動するように、設定を行いステップＳ７０６へと進む。通常モードとはセンサーが作動するモードの一つであり、センサーの駆動が連続した状態で活動量を演算する。
【００５８】
次に、ステップＳ７０５において、制御部５００は、活動量計測モードが省電力モードで駆動するように、設定を行いステップＳ７０６へと進む。省電力モードとはセンサーが作動するモードの一つであり、センサーでの演算量を抑えるために、センサーの駆動が間欠した状態で活動量を演算する。
【００５９】
次に、ステップＳ７０６において、制御部５００は、ユーザー情報をもとにウェアラブル機器１０１を屋外で利用する頻度が室内で利用する頻度より少ないかを判断する。つまり、図７の入力画面６０１における、ユーザーＵによる、“室内トレーニング”のボックス６１１への塗りつぶし入力数が“外使いトレーニング”のボックス６１１への塗りつぶし入力数以下であるかどうかを判断する。判断した結果がＹｅｓの場合は、ステップＳ７０８へ進み、Ｎｏの場合は、ステップＳ７０７へ進む。
【００６０】
次に、ステップＳ７０７において、制御部５００は、活動量計測モード時のＧＰＳの更新頻度を上げるように設定を行い、処理を終了する。
【００６１】
次に、ステップＳ７０８において、制御部５００は、活動量計測モード時のＧＰＳの更新頻度を下げるように設定を行い、処理を終了する。
【００６２】
また、制御部５００は、個別のワークアウトモードを表示する設定を、ユーザーＵのワークアウトの活動情報もしくは入力画面６０２で与えられる頻度情報の多い順番へと並べるように変更ができる。
【００６３】
また、入力画面６０３より、ワークアウトでトレーニングする際の重視項目が与えられている場合は、制御部５００は、個別のワークアウト計測機能の駆動設定の変更を行うことができる。例えば、あるワークアウトの項目において、持久トレーニングを重視する場合は、制御部５００は、駆動時間を延ばすために各種センサーや演算処理を間欠的に行うようにし消費電力が温存するように、設定情報の作成を行うことができる。反対に、スピードトレーニングを重視する場合は、制御部５００は、細かな変動を見逃さないために、センサーの間欠駆動間隔を短くして詳細なデータを取得可能にするように、設定情報の作成を行うことができる。
【００６４】
次に、第２の態様について説明する。
本実施形態に係る設定情報決定方法における活動計画は、ユーザー入力表示制御部５０２で表示される入力画面より取得できる。活動計画は、ユーザーＵが予め計画したユーザーＵが実施する活動内容に関する計画である。これによれば、予め計画したユーザーＵが実施する活動内容に関する計画に基づいて、ウェアラブル機器１０１の設定情報を決定するので、ユーザーＵの使用目的や利用シーンに適した機器設定をすることができる。
【００６５】
図９は、曜日情報を含むユーザー情報入力画面１４１の具体例を示す図である。
図９においてユーザーＵは、情報処理端末１０２のタッチパネル４０５を通して入力できる。各項目に存在する曜日情報を持ったボックス８０１を、ユーザーＵがタッチすることで塗りつぶすことができる。ユーザーＵは、各曜日にウェアラブル機器１０１を使って項目の内容を行う習慣があるかをユーザー情報として入力できる。
【００６６】
また、第２の態様は、取得部５０１で得られる活動情報５１４に加えて、図９に示すユーザー情報が得られた場合の処理である。曜日ごとのウェアラブル機器１０１の使用状況を取得できるため、制御部５００は、各曜日に対する設定情報の変更ができる。曜日ごとの設定情報の決定処理は、ユーザー情報を使った設定情報の決定フローで実現できる。
【００６７】
次に、第３の態様について説明する。
本実施形態に係る設定情報決定方法における活動計画は、ユーザー入力表示制御部５０２より取得できる。活動計画は、ユーザーＵが実施する活動内容に関する日時、運動種別、運動時間を含む情報である。これによれば、ユーザーＵが実施する活動内容に関する日時、運動種別、運動時間に基づいて、ウェアラブル機器１０１の設定情報を決定するので、ユーザーＵの使用目的や利用シーンに適した機器設定をすることができる。
【００６８】
図１０は、ユーザー情報入力画面１４１の具体例を示す図である。
図１０において、ユーザーＵは、情報処理端末１０２のタッチパネル４０５を通して入力できる。ユーザーＵは、各曜日の各時間にどういった内容の行動をするかを細かく入力できる。なお、図１０で入力される情報は、別途、情報処理端末１０２よりデータとして取得が可能である。
【００６９】
また、第３の態様は、取得部５０１で得られる活動情報５１４に加えて、図１０に示すユーザーＵの活動計画が得られた場合の処理である。活動計画を情報処理端末１０２より得られると、制御部５００は、第２の態様に加えて、ワークアウト種別や時間帯の詳細情報も得られるので、より細かな設定を行うことができる。例えば、屋外でワークアウト計測を行う場合、予定が計画されているので、開始の数時間前にＧＰＳの衛星情報を集中して更新するように設定し、ワークアウトを行わない時間には積極的に更新を行わないように設定変更できる。そのため、ウェアラブル機器１０１は、計画的にＧＰＳの測位の準備を行うことができるので、電力消費の無駄を削減できる。
【００７０】
次に、第４の態様について説明する。
本実施形態に係る設定情報決定方法におけるユーザー情報は、ユーザーＵの性別、年齢、体重、体脂肪率を含む。これによれば、ユーザーＵの性別、年齢、体重、体脂肪率情報に基づいて、ウェアラブル機器１０１の設定情報を決定するので、ユーザーＵの使用目的や利用シーンに適した機器設定をすることができる。
【００７１】
また、本実施形態に係る設定情報決定方法における活動情報５１４は、時刻情報と関連付けられた歩数、脈拍数、移動速度、及び移動距離の少なくともいずれかに関する情報である。これによれば、時刻情報と関連付けられた歩数、脈拍数、移動速度、及び移動距離の少なくともいずれかに基づいて、ウェアラブル機器１０１の設定情報を決定するので、ユーザーＵの使用目的や利用シーンに適した機器設定をすることができる。
【００７２】
また、第４の態様において、情報処理端末１０２は、予め集めたユーザー情報より作成したユーザーグループ設定情報を有しており、ユーザーＵを適したユーザーグループに決定し、ユーザーグループごとに適した設定情報へと更新する。
【００７３】
図１１は、ユーザーグループの決定処理を示すフローチャートである。
まず、ステップＳ１００１において、制御部５００は、ユーザー情報より判定に使えるデータを数値化して特徴量データへと変換する。例えば、入力画面６０１で取得できる各項目のボックス６１１が塗りつぶされた数そのものや全体に対する割合などが特徴量となる。
【００７４】
次に、ステップＳ１００２において、制御部５００は、ユーザーＵのステップＳ１００１で数値化したデータである特徴量データをもとに、パターン認識の技術を用いてユーザーＵの属するグループの判定を行う。パターン認識の技術では今回抽出した特徴量データと予め作った特徴量のテンプレートが一番に一致する物を所属するグループとして判定する手法である。例えば、グループＡを非アスリートグループとする。グループＢを長距離マラソンランナーのグループとする。グループＣを短距離ランナーのグループとする。
なお、パターン認識の技術としては、ニューラルネットワーク、ＳＶＭ（Support Vector Machine）、決定木などの教師あり学習の手法を用いることができる。
【００７５】
次に、ステップＳ１００３において、制御部５００は、判定結果よりユーザーＵが属するグループへと振り分けを行う。グループＡは、ステップＳ１００４へ進む。グループＢは、ステップＳ１００５へ進む。グループＣは、ステップＳ１００６へ進む。
【００７６】
次に、ステップＳ１００４において、制御部５００は、グループＡ向けの設定を適用する。例えば、グループＡ向けの設定とは、活動量計測モードをＯＮにし、消費電力モードにする設定などである。そして、処理を終了する。
【００７７】
次に、ステップＳ１００５において、制御部５００は、グループＢ向けの設定を適用する。例えば、グループＢ向けの設定とは、ランニングのワークアウトモードの駆動動時間を延ばすために各種センサーや演算処理を間欠的に行うようにし消費電力を温存するように設定するなどである。そして、処理を終了する。
【００７８】
次に、ステップＳ１００６において、制御部５００は、グループＣ向けの設定を適用する。例えば、グループＣ向けの設定とは、ランニングのワークアウトモードにおいて、ユーザーＵの走りの細かな変動を見逃さないために、センサーの間欠駆動間隔を短くして詳細なデータを取得可能にするように設定するなどである。そして、処理を終了する。
【００７９】
以上の態様により生成部５０３で設定変更情報５１３を作成し、送信部５０４は、設定変更情報５１３を情報処理端末１０２からウェアラブル機器１０１へ送信する（図６参照）。ウェアラブル機器１０１は、設定変更情報５１３を用いて機器設定情報を更新する。なお、本実施形態では３グループで行っているが、グループ数の限定はしない。
【００８０】
以上述べたように、本実施形態に係る設定情報決定方法によれば、ユーザーＵのユーザー情報を取得し、ユーザーＵの活動情報又は活動計画を取得し、ユーザー情報及び、活動情報又は活動計画の少なくともいずれかに基づき、電子機器としてのウェアラブル機器１０１の設定情報を決定し、設定情報を出力する。
【００８１】
本実施形態によれば、ユーザー情報やウェアラブル機器１０１の測定データに基づいて、ウェアラブル機器１０１の設定情報を決定するので、ユーザーＵの使用目的や利用シーンに適した機器設定をすることができる。
【００８２】
なお、本発明は上述した実施形態に限定されず、上述した実施形態に種々の変更や改良などを加えることが可能である。変形例を以下に述べる。
【００８３】
（変形例１）
以下に本実施形態の変形例を説明する。
【００８４】
ウェアラブル機器１０１が装着できる箇所は、手首に限らない。例えば、ウェアラブル機器１０１は、足首等、ユーザーＵの他の部位に装着されてもよい。また、ウェアラブル機器１０１は、ＨＭＤ（Head Mounted Display）等であってもよい。
【００８５】
また、本実施形態における設定情報決定方法における設定対象は、ウェアラブル機器１０１に限られない。例えば、前述の設定対象は、その他の電子機器でもよい。電子機器は、例えば、カーナビゲーション装置、電卓、ゲーム機、ビデオカメラ等でもよい。
【００８６】
また、図１では、情報処理端末１０２は、スマートフォン、タブレット端末等であると説明したが、これに限らない。例えば、情報処理端末１０２は、ＰＣ（Personal Computer）でもよい。
【００８７】
また、情報処理端末１０２のユーザーＵと、ウェアラブル機器１０１のユーザーＵとは、同一でもよいし、異なってもよい。情報処理端末１０２のユーザーＵとウェアラブル機器１０１のユーザーＵとが異なる例としては、ウェアラブル機器１０１の購入者が、ウェアラブル機器１０１の開発元のサポート員に、ウェアラブル機器１０１の表示画面の設定を頼む場合である。この場合、情報処理端末１０２のユーザーＵは、ウェアラブル機器１０１の開発元のサポート員となる。
【００８８】
また、図３では示していないが、ウェアラブル機器１０１は、操作部として操作ボタン１１１〜１１５の代わりにタッチセンサーを有してもよいし、操作ボタン１１１〜１１５とタッチセンサーとの両方を有してもよい。ここで、タッチセンサーは、ユーザーＵのタッチ操作を検出するセンサーである。タッチセンサーは、例えば、抵抗膜方式、表面弾性波方式、静電容量方式等を採用できる。
【００８９】
また、ウェアラブル機器１０１は、加速度センサー３０７、脈拍センサー３０９以外のセンサーとして、方位センサー（地磁気センサー）、気圧センサー、温度センサー、ジャイロセンサーを備えてもよい。そして、情報処理端末１０２は、表示設定画面内に、ウェアラブル機器１０１の操作部の操作回数と関連付けた複数の表示画面を配置してもよい。例えば、ウェアラブル機器１０１がタッチセンサーを含む場合、情報処理端末１０２は、タッチセンサーの操作回数と関連付けた配置で複数の表示画面を表示する。これにより、ユーザーＵは、複数の表示画面と、ユーザーＵによるタッチセンサーの操作回数とを一画面内で確認することができ、ユーザーＵに分かり易く提示することが可能になる。
【００９０】
また、情報処理端末１０２は、複数の操作部がある場合に、表示設定画面内に、どの操作部によって複数の表示画面が切り換わるかを示してもよい。例えば、ウェアラブル機器１０１がタッチセンサーを備える場合、情報処理端末１０２は、表示設定画面内に、タッチセンサーで複数の表示画面が切り換わることを示す文言に基づく画像を表示してもよい。これにより、ユーザーＵは、ウェアラブル機器１０１の使用シーンにおいてタッチセンサーで複数の表示画面が切り換わることが把握できるため、ウェアラブル機器１０１の使用シーンをイメージしながらウェアラブル機器１０１の設定を行うことができる。
【００９１】
また、ウェアラブル機器１０１が備える操作ボタンの数は、上述した実施形態における５つに限られず、５つより少なくてもよいし、５つより多くてもよい。
【００９２】
また、ウェアラブル機器１０１が備える操作ボタンの配置は、上述した実施形態における位置に限られない。
【００９３】
また、操作ボタン１１１〜１１５と連携する機能は、上述した実施形態における例に限られない。例えば、第１操作ボタン１１１が押下された場合、ウェアラブル機器１０１は、活動量表示画面１３１，１３２，１３３を表示したが、ワークアウト表示画面１４２，１４３，１４４を表示してもよい。
【００９４】
また、情報処理端末１０２の生成部５０３で作成する設定情報を行う処理は、サーバー側で行ってもよい。
【００９５】
上記の各実施形態では、ウェアラブル機器１０１は、ＧＰＳ衛星からの衛星信号を用いて各種の処理を行っているが、ＧＰＳ以外の全地球航法衛星システム（ＧＮＳＳ：GlobalNavigation Satellite System）の測位用衛星やＧＮＳＳ以外の測位用衛星からの衛星信号を用いてもよい。例えば、ＷＡＡＳ（Wide Area Augmentation System）、ＥＧＮＯＳ（European Geostationary-Satellite Navigation Overlay Service）、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）等の衛星測位システムのうち１つ、あるいは２つ以上のシステムの衛星からの衛星信号を利用してもよい。
【００９６】
本発明は、上記の情報処理端末１０２を、上記に記載の情報処理端末１０２の各部として機能させるように構成されたコンピュータープログラム又は当該コンピュータープログラムを記録したコンピューターが読み取り可能な記録媒体として捉えることもできるし、上記の設定情報決定方法における一以上のコンピューターを、上記に記載の設定情報決定方法の各部として機能させるように構成されたコンピュータープログラム又は当該コンピュータープログラムを記録したコンピューターが読み取り可能な記録媒体として捉えることもできる。記録媒体は例えば非一過性（non-transitory）の記録媒体であり、ＣＤ−ＲＯＭ等の光学式記録媒体の他、半導体記録媒体や磁気記録媒体等の公知の任意の記録媒体を含み得る。
【符号の説明】
【００９７】
１００…システム  １０１…ウェアラブル機器（電子機器）  １０２…情報処理端末  １０３…第１バンド  １０４…第２バンド  １０５…ケース部  １１１…第１操作ボタン  １１２…第２操作ボタン  １１３…第３操作ボタン  １１４…第４操作ボタン  １１５…第５操作ボタン  １２１…表示部  １３１，１３２，１３３…活動量表示画面  １４１…ユーザー情報入力画面  １４２，１４３，１４４…ワークアウト表示画面  １５０…表示部  ２００…時計画面  ３００…ＣＰＵ  ３０１…電源回路  ３０２…ＲＯＭ  ３０３…アンテナ  ３０４…無線通信部  ３０５…振動部  ３０６…ライト  ３０７…加速度センサー  ３０８…記憶部  ３０９…脈拍センサー  ３１０…二次電池  ４００…ＣＰＵ  ４０１…電源回路  ４０２…ＲＯＭ  ４０３…無線通信部  ４０４…記憶部  ４０５…タッチパネル  ４１０…二次電池  ５００…制御部  ５０１…取得部  ５０２…ユーザー入力表示制御部  ５０３…生成部  ５０４…送信部  ５１１…既存設定情報  ５１２…ユーザー入力画面候補情報  ５１３…設定変更情報  ５１４…活動情報  ６０１，６０２，６０３…入力画面  ６１１，６３１，８０１…ボックス  Ｕ…ユーザー。
【図１】
2019125163.tif 000003
【図２】
2019125163.tif 000004
【図３】
2019125163.tif 000005
【図４】
2019125163.tif 000006
【図５】
2019125163.tif 000007
【図６】
2019125163.tif 000008
【図７】
2019125163.tif 000009
【図８】
2019125163.tif 000010
【図９】
2019125163.tif 000011
【図１０】
2019125163.tif 000012
【図１１】
2019125163.tif 000013